(57)【要約】      （修正有）【課題】より早い時点でプラスチック材料プレフォームの滅菌を維持し、既に無菌状態である場合、プレフォームを加熱する装置と方法を提供する。【解決手段】運搬経路に沿ってプラスチック材料プレフォーム１０を運搬する運搬デバイス２を備え、プレフォームを加熱するための装置１であって、プレフォームと共に移動する少なくとも１つの加熱デバイス２０が、運搬デバイス、およびプレフォームを保持するための保持デバイスに配置され、装置１はクリーンルーム６を有し、クリーンルームを通してプレフォームが運搬され、クリーンルームはプレフォームの運搬経路を囲み、加熱デバイスは、プレフォームを受け取るための受け取りルームを有し、少なくとも局所的にプレフォームを加熱している間、プレフォームを囲む、装置（１）である。【選択図】図１
2014061701.tif 000002
【特許請求の範囲】
【請求項１】
予め設定した運搬経路に沿ってプラスチック材料プレフォーム（１０）を運搬する運搬デバイス（２）を備える、プラスチック材料プレフォーム（１０）を加熱するための装置（１）であって、前記プラスチック材料プレフォーム（１０）と共に移動する少なくとも１つの加熱デバイス（２０）が、前記運搬デバイス（２）、および前記プラスチック材料プレフォーム（１０）を保持するための保持デバイス（２２）に配置され、前記装置（１）はクリーンルーム（６）を有し、前記クリーンルーム（６）を通して前記プラスチック材料プレフォーム（１０）が運搬され、前記クリーンルーム（６）は前記プラスチック材料プレフォーム（１０）の前記運搬経路を囲み、前記加熱デバイス（２０）は、前記プラスチック材料プレフォーム（１０）を受け取るための受け取りルーム（３１）を有し、前記受け取りルーム（３１）は、少なくとも局所的に前記プラスチック材料プレフォーム（１０）を加熱している間、前記プラスチック材料プレフォーム（１０）を囲み、前記装置（１）は、前記プラスチック材料プレフォーム（１０）を前記受け取りルーム（３１）内に導入するため、および前記受け取りルーム（３１）から前記プラスチック材料プレフォームを除去するために移動デバイス（２５）を有し、前記移動デバイス（２５）の少なくとも１つの構成要素部（２４）が前記クリーンルーム（６）の外側に配置され、環境（Ｕ）から前記クリーンルーム（６）を封止する封止デバイス（２９、８６）が設けられることを特徴とする、装置（１）。
【請求項２】
前記運搬デバイス（２）が、複数の加熱デバイス（２０）が配置される回転可能なキャリアを有することを特徴とする、請求項１に記載の装置（１）。
【請求項３】
前記装置（１）が、環境（Ｕ）に対して前記クリーンルーム（６）の境界を規定する第１の壁（６２）および第２の壁（６４）を有し、前記第１の壁（６２）および第２の壁（６４）は互いに対して移動可能であることを特徴とする、請求項２に記載の装置（１）。
【請求項４】
前記装置（１）が、少なくとも前記プラスチック材料プレフォーム（１０）を加熱している時間の間、前記プラスチック材料プレフォーム（１０）を回転させるための回転ドライブ（８２）を有することを特徴とする、請求項１〜３のいずれか一項に記載の装置（１）。
【請求項５】
前記プラスチック材料プレフォーム（１０）を加熱するための加熱素子（３５）が、前記クリーンルーム（６）の外側に配置されることを特徴とする、請求項４に記載の装置（１）。
【請求項６】
前記装置（１）が、前記保持デバイス（２２）を回転可能に取り付けるための取り付けデバイス（４２）を有することを特徴とする、請求項５に記載の装置（１）。
【請求項７】
前記装置（１）が、前記プラスチック材料プレフォーム（１０）を加熱するために、前記プラスチック材料プレフォーム（１０）の内部空間内に挿入できる棒状体（８）を有することを特徴とする、請求項１に記載の装置（１）。
【請求項８】
前記棒状体（８）を移動させるための移動デバイス（９０）が、前記クリーンルーム（６）の外側に配置されることを特徴とする、請求項７に記載の装置（１）。
【請求項９】
前記保持デバイス（２２）が、少なくとも局所的に中空体の形態で設計されるキャリア（２６）に配置されることを特徴とする、請求項１〜８のいずれか一項に記載の装置（１）。
【請求項１０】
棒状体（８）が、前記中空体（２６）を通して移動できることを特徴とする、請求項９に記載の装置（１）。
【請求項１１】
前記回転ドライブ（８２）が、前記クリーンルーム（６）の外側に配置されることを特徴とする、請求項４に記載の装置（１）。
【請求項１２】
前記装置（１）が、前記プラスチック材料プレフォームを滅菌するため、および／または前記クリーンルーム（６）の内部領域を滅菌するための滅菌デバイス（７０）を有することを特徴とする、請求項１〜１１のいずれか一項に記載の装置（１）。
【請求項１３】
前記滅菌デバイス（７０）が、流動可能な滅菌剤と共に、前記クリーンルーム（６）の内側にある少なくとも１つの壁または前記クリーンルーム（６）の境界壁に作用する加圧デバイス（７０ａ、７２）を有することを特徴とする、請求項１２に記載の装置（１）。
【請求項１４】
加圧デバイス（７０）が、前記流動可能な滅菌剤を供給するための供給デバイス（７０ａ、７２）を有し、前記供給デバイスは、前記クリーンルーム（６）の少なくとも１つの壁（６２、６４）を通して延び、および／または前記保持デバイス（２２）の少なくとも１つの領域を通して延びるチャネル（７２）を有することを特徴とする、請求項１２に記載の装置（１）。
【請求項１５】
プラスチック材料プレフォーム（１０）が、予め設定された運搬経路に沿って運搬され、前記運搬の間に加熱され、前記加熱する目的のために、前記プラスチック材料プレフォーム（１０）が各々の場合、前記プラスチック材料プレフォーム（１０）と関連し、前記運搬経路に沿って同様に移動する加熱デバイス（２０）内に導入され、前記プラスチック材料プレフォーム（１０）は、加熱の間にクリーンルーム（６）を通して少なくとも局所的に運搬され、前記クリーンルーム（６）は、少なくとも１つの壁（６２、６４）によって環境から境界が規定されており、移動デバイス（２５）が、前記プラスチック材料プレフォーム（１０）を前記加熱デバイス（２０）の受け取りルーム（３１）内に導入し、前記移動デバイス（２５）は、前記クリーンルーム（６）の外側に少なくとも部分的に配置されることを特徴とする、プラスチック材料プレフォーム（１０）を加熱する方法。
【発明の詳細な説明】
【技術分野】
【０００１】
本発明はプラスチック材料プレフォームを加熱するための装置に関する。プラスチック材料容器は、そのプラスチック材料容器を生成するために、最初に加熱され、次に例えば延伸ブロー成形機により成形されるプラスチック材料プレフォームにより製造されることは従来技術において知られている。
【背景技術】
【０００２】
多くの飲料に関して、無菌状態下でそれらを充填することが必要とされる。この場合、プラスチック材料プレフォームは、ブロー成形機の上流で滅菌プロセスにより滅菌されるべき細菌により汚染される可能性があることが知られている。その後、容器は無菌ブロー成形機によって無菌充填に移され得る。ブロー成形機の直接上流のプラスチック材料プレフォームのこの滅菌は特定の欠点があり、例えば全ての事象において充填プロセスの前であるが、成形前に滅菌剤の完全な除去がされなければならない。従って、既に滅菌され、滅菌剤を含まないプラスチック材料プレフォームがこのブロー成形機に供給され得ることが望まれる。
【発明の概要】
【発明が解決しようとする課題】
【０００３】
従って、本発明の目的は、時間のより早い時点でプラスチック材料プレフォームの滅菌を維持し、既に無菌状態である場合、そのプラスチック材料を加熱することである。これらの目的は独立請求項の対象により本発明に従って達成される。有益な実施形態およびさらなる発展は従属請求項の対象を形成する。
【課題を解決するための手段】
【０００４】
プラスチック材料プレフォームを加熱するための本発明に係る装置は、予め設定された運搬経路に沿ってプラスチック材料プレフォームを運搬する運搬デバイスを有する。この場合、プラスチック材料プレフォームと共に移動する少なくとも１つの加熱デバイスが、この運搬デバイス（したがって運搬経路に沿って同様に運搬され）、およびプラスチック材料プレフォームを保持するための保持デバイスに配置され、その装置はクリーンルームを有し、そのクリーンルームを通してプラスチック材料プレフォームが運搬される。
【０００５】
このクリーンルームは運搬経路を囲み、さらに、加熱デバイスは、プラスチック材料プレフォームを受け取るための受け取りルームを有し、その受け取りルームは、プラスチック材料プレフォームを加熱している間にそのプラスチック材料プレフォームを少なくとも局所的に囲む。
【０００６】
本発明によれば、装置は、プラスチック材料プレフォームを受け取りルーム内に導入するため、およびプラスチック材料プレフォームをこの受け取りルームから除去するために移動デバイスを有し、この移動デバイスの少なくとも１つの構成要素部はクリーンルームの外側に配置され、（非滅菌の）環境に対してクリーンルームの境界を規定する封止デバイスが設けられる。クリーンルームから外部への移動デバイスの移動を止める封止デバイスが設けられることが好ましい。
【０００７】
したがって、加熱がクリーンルームの内側で実施されることが提案される。このように、本発明によれば、プラスチック材料プレフォームが加熱される処理ルームがまた、非滅菌ルームまたは環境からの外側に対して境界を規定するが、必要なプロセス動作が、その間に滅菌を失わずに導入されることを可能にする種類のクリーンルームが形成されるように設計されるべきであることが提案される。
【０００８】
受け取りルームは好ましくは、プラスチック材料プレフォームが挿入されることができ、好ましくは挿入された状態でその周囲方向において完全にプラスチック材料プレフォームを囲む、受け取りルームまたは受け取りキャビティである。この受け取りルームが、そのキャリアリングの下に配置され、それにより加熱されるプラスチック材料プレフォームのこれらの領域においてプラスチック材料プレフォームの周囲全体にわたってプラスチック材料プレフォームを囲むことは有益である。受け取りルームの断面は、プラスチック材料プレフォームの形状に適合されることが好ましく、好ましくは円形断面を有する。したがって、受け取りルームは好ましくは開口部を有し、その開口部によって、プラスチック材料プレフォームは挿入され得る。さらに、受け取りルームは第２の開口部を有してもよく、その第２の開口部を通して滅菌剤が受け取りルームに供給され得るか、またはその第２の開口部によって滅菌剤が除去され得る。
【０００９】
上記のクリーンルームを予め設定した過圧下にする加圧手段を有する装置が有益である。このように、望ましくない形式で外側からクリーンルーム内に汚染物質が侵入することを防ぐことができる。
【００１０】
有益な設計の場合、運搬デバイスは複数の加熱デバイスが配置される回転可能なキャリアを有する。このように、プラスチック材料プレフォームは有益には、それらを加熱している間、円形運搬経路に沿って運搬される。
【００１１】
この運搬デバイスのドライブはクリーンルームの外側に配置されることが有益である。クリーンルームは、環状またはドーナツ状外形（プロファイル）を有することが有益であり、その場合特に、プラスチック材料プレフォームの運搬経路の半径方向内側に配置される装置全体の領域もまた、このクリーンルームの外側に配置される。クリーンルームの境界を規定する少なくとも１つの壁がキャリアの構成要素部であることが有益であり、そのキャリアに加熱デバイスが配置される。複数の加熱デバイスがキャリアに配置されることが有益である。
【００１２】
さらなる有益な設計の場合、装置は、環境からの外部に対してクリーンルームの境界を規定する第１の壁および第２の壁を有し、それらの壁は互いに対して移動可能である。さらに、他方の壁から離れる一方の壁の動きを止める封止デバイスを設けることは有益である。この場合、この封止デバイスが、好ましくは液体で充填される連続チャネルを有することが有益である。このチャネルに対して移動可能である壁の構成要素部はこの液体中に浸漬する。
【００１３】
さらなる有益な設計の場合、プラスチック材料プレフォームを加熱するための少なくとも１つの加熱素子がクリーンルームの外側に配置される。この場合、この加熱素子は、クリーンルームの境界を通してプラスチック材料プレフォームを加熱することができる。これは好ましくは電気作動の加熱素子であってもよい。このように、加熱素子自体が、クリーンルーム（およびそれにより必要に応じてまた、少なくとも部分的に幾何学的に、好ましくは完全にクリーンルームの内側）に対して閉鎖および封止されるハウジング内に配置されることも可能であり、プラスチック材料プレフォームはこのハウジングの壁を介して加熱され得る。さらに、加熱素子はマイクロ波源を有してもよく、それらのマイクロ波は上記のハウジングの壁を通過できる。
【００１４】
さらなる有益な設計の場合、複数の加熱素子および好ましくは全ての加熱素子はクリーンルームの外側に配置される。さらなる有益な実施形態の場合、少なくとも１つの加熱素子は、各場合、２つの加熱デバイスの間、またはプラスチック材料プレフォームが挿入される加熱キャビティの間に設けられる。１つ以上の加熱素子が、各場合、プラスチック材料プレフォームの移動方向においてプラスチック材料プレフォームを保持するための個々の保持デバイスの間に配置されることが好ましい。
【００１５】
この設計はまた、上記の本発明から独立して、すなわち特にクリーンルームの内側または外側の移動デバイスの構成から独立して使用されてもよいことが指摘されるべきである。本出願人は、この種の設計に対する別の保護を適用する権利を有する。
【００１６】
さらなる有益な設計の場合、装置は、少なくともプラスチック材料プレフォームを加熱している間、その長手方向周囲にプラスチック材料プレフォームを回転させるために回転ドライブを有する。プラスチック材料プレフォームのこの回転のために、可能な限り均一のプラスチック材料プレフォームの加熱が達成される。このように、プラスチック材料プレフォームが、上記の加熱デバイスまたは加熱デバイスにより形成される中空空間内に挿入され得ることは有益であり、また、特にその独自の長手方向周囲で、この中空空間内で回転できることが有益である。
【００１７】
さらなる有益な設計の場合、回転デバイスはクリーンルームの外側に配置される。
【００１８】
装置は、保持デバイスを回転可能に取り付けるための取り付けデバイスを有することが好ましい。この取り付けデバイスは、この場合特にクリーンルームの内側に配置される。この場合、取り付けは、回転可能に固定されるが、特に垂直に移動可能である、すなわちプラスチック材料プレフォームの長手方向に移動可能である部分を有してもよく、また、保持デバイスを回転可能に取り付けるために使用される１つ以上の取り付け本体を有してもよい。回転運動のための上記のドライブはまた、取り付け部分に回転可能に固定して配置されることが有益である。
【００１９】
ドライブは例えば電気モータであってもよいが、また、このドライブは歯のセットにより実装されてもよい。さらなる有益な実施形態の場合、プラスチック材料プレフォームを加熱デバイス内に挿入する、モータ、特にリニアモータの形態の移動デバイスが設けられる。このように、モータ、特にリニアモータはまた有益には、プラスチック材料プレフォームを保持するための上記の保持デバイスと共に取り付けユニットを移動させる。保持デバイスは、プラスチック材料プレフォームを保持するために、プラスチック材料プレフォーム内に挿入される保持マンドレルであることが有益である。この場合、この保持マンドレルは、プラスチック材料プレフォームの内壁を押し、それにより、プラスチック材料プレフォームの固定保持を提供するクランプ手段と共にその周囲方向に設けられてもよい。
【００２０】
さらなる有益な設計の場合、装置は、プラスチック材料プレフォームを加熱するためにプラスチック材料プレフォームの内部空間内に挿入できる棒状体を有する。二重加熱方法が提案されるこの設計に関して、プラスチック材料プレフォームは好ましくは、上記の棒状体によって内側から、および加熱デバイスまたは加熱ブッシュによって外側から同じ時間で加熱される。この場合、この加熱システムが回転スライダに配置されることが有益である。プラスチック材料プレフォームは好ましくは回転スライダに最初に供給され、コレットチャックまたはクランプ要素に移され、次いで加熱デバイス内に浸される。
【００２１】
棒状体または加熱ランスもまた、プラスチック材料プレフォーム内に平行に挿入されることが好ましい。プラスチック材料プレフォームはここで、特定の加熱時間の間、この加熱システム内にとどまり、プラスチック材料プレフォーム周囲の均一な加熱を確保するために、連続回転に設定されることが好ましい。加熱プロセス後、プラスチック材料プレフォームが加熱デバイスから再び引き抜かれることが有益であり、好ましくは成形デバイスに移される。
【００２２】
ＳＴＩＲ（選択赤外線伝送）プロセスであることが好ましい。
【００２３】
本明細書に記載される設計の場合、プラスチック材料プレフォームの保持もまた特により詳細に記載される。保持デバイスおよび／または棒状体の必要な往復運動およびまた、回転運動の導入ならびに互いから離れるこれらの往復および回転運動の滅菌封止ならびにクリーンルームの滅菌境界が本明細書により詳細に記載される。保持デバイスは、垂直に移動可能な荷重ヘッド（すなわち上記の取り付けデバイス）に取り付けられることが有益である。このように、加熱デバイスは、その開口部によってプラスチック材料プレフォームを受け取ることができ、そのプラスチック材料プレフォームをさらにクリーンルーム内（例えば下方）または加熱デバイス内にそれぞれ浸漬できる。この場合また、例えば直線方向において垂直に移動可能なように有益に取り付けられる上記の棒状体は同様にプラスチック材料プレフォーム内に挿入され得る。
【００２４】
この棒状体を移動させるための移動デバイスがクリーンルームの外側に配置されることが有益である。この場合、封止デバイスが同様に再び設けられてもよく、その封止デバイスは、クリーンルームから離れるこの相対運動を止める。この封止デバイスは折り畳みベローズであることが有益である。
【００２５】
さらなる有益な設計の場合、この移動デバイスは電気モータ、特にリニアモータである。しかしながらまた、例えば空圧ドライブ（駆動）または油圧ドライブ（駆動）などの他のドライブが使用されてもよい。さらに、プラスチック材料プレフォームの回転運動を止める封止デバイスがまた設けられてもよい。
【００２６】
さらなる有益な設計の場合、保持デバイスは、少なくとも局所的に中空体の形態で設計されるキャリアに配置される。この場合、上記の棒状体は、このキャリアまたはこの中空体をそれぞれ通過できることが有益である。言い換えれば、有益には垂直に移動可能であり、取り付けられる加熱ランスは中空保持デバイスによりプラスチック材料プレフォーム内に浸すことができる。この設計の場合、好ましくは、回転運動が、好ましくはこの保持デバイスまたはキャリアに固定形式で配置される回転ドライブによって保持デバイス内に導入されてもよい。この場合、この取り付けデバイスの回転部分が、無菌ベアリングにより封止されることが有益である。この場合、棒状体の少なくとも一部がまた、クリーンルーム内に挿入され得ることが好ましい。
【００２７】
さらなる有益な設計の場合、プラスチック材料プレフォームのための回転ドライブはクリーンルームの外側に配置される。この回転運動を止める封止デバイスもまた設けられることが有益である。好ましい設計の場合、これは、直線運動、例えば往復運動も止めることができる封止デバイスである。このように、この封止デバイスは同様に、サージタンクまたは油圧シールのそれぞれであってもよい。
【００２８】
加熱デバイスは特に、赤外線炉またはさらにＳＴＩＲ炉であってもよい。しかしながらまた、加熱デバイスはマイクロ波加熱デバイスであってもよく、すなわち、加熱デバイスは、少なくとも１つのマイクロ波生成デバイス（特に磁子など）およびまた、内部でプラスチック材料プレフォームが加熱される共鳴装置を有する。この設計の場合、各々の加熱デバイスは有益には、プラスチック材料プレフォームを加熱するためのこの種の共鳴装置を形成する。
【００２９】
さらなる有益な設計の場合、装置は、プラスチック材料プレフォームを滅菌するため、および／またはクリーンルームの内側領域を滅菌するための滅菌デバイスを有する。この場合、上記のように、プラスチック材料プレフォーム自体を滅菌できるが、また、ＣＩＰ滅菌または洗浄ユニットが設けられてもよい。この場合、滅菌デバイスは、放射線、例えば電子放射線またはさらにＵＶ放射線を用いて所望の領域に作用するように設計されてもよい。しかしながらまた、滅菌または洗浄のために流動可能な媒体（例えば過酸化水素または過酢酸）を使用することが可能であり、好ましい。
【００３０】
滅菌デバイスは、流動可能な滅菌剤と共に、クリーンルームの内部にある少なくとも１つの壁またはクリーンルームの境界壁に作用する加圧デバイスを有することが好ましい。
【００３１】
加熱デバイスは同様に第１の開口部および第２の開口部を有することは有益であり、その第１の開口部を通してプラスチック材料プレフォームが受け取りルーム内に導入され、第２の開口部は特に、例えば滅菌剤を加熱デバイスに供給するため、または加熱デバイスから再び除去するために滅菌または洗浄目的のために使用される。
【００３２】
好ましい設計の場合、加圧デバイスは流動可能な滅菌剤を供給するための供給デバイスを有し、この供給デバイスは、クリーンルームの少なくとも１つの壁を通して延び、他方で保持デバイスの少なくとも１つの領域を通して延びるチャネルを有する。この設計の場合、保持マンドレルまたは保持デバイスは、例えば中空体の形態で設計されてもよい。この場合、滅菌剤はまた、保持デバイスによってプラスチック材料プレフォーム内に導入されてもよい。この場合、また特に、この滅菌剤はプラスチック材料プレフォームを加熱している間に導入されてもよい。
【００３３】
さらなる有益な設計の場合、滅菌剤の目的のある除去を可能にする傾斜面がクリーンルームの内部に設けられてもよい。
【００３４】
本発明はさらに、プラスチック材料プレフォームを加熱する方法に関し、そのプラスチック材料プレフォームは、予め設定された運搬経路に沿って運搬され、この運搬の間に加熱される。さらに、この加熱の目的のために、プラスチック材料プレフォームは、各場合、これらのプラスチック材料プレフォームと関連する加熱デバイス内に導入され、これらの加熱デバイスは同様に運搬経路に沿って移動する。さらに、プラスチック材料プレフォームは、それらを加熱している間、クリーンルームを通して少なくとも局所的に運搬され、その場合、このクリールームは少なくとも１つの壁により環境に対して境界が規定されている。
【００３５】
本発明によれば、移動デバイスは、プラスチック材料プレフォームを、この加熱デバイスの受け取りルームまたは受け取りキャビティ内に導入し、この移動デバイスは少なくとも部分的にクリーンルームの外側に配置される。
【００３６】
プラスチック材料プレフォームの運搬経路は円形の運搬経路であることが有益である。
【００３７】
さらに、このクリーンルームおよび／または加熱デバイスの少なくとも１つの領域は、洗浄目的のために少なくとも洗浄および／または滅菌剤を用いる時間の間、作用することが有益である。
【００３８】
さらに、プラスチック材料プレフォームが、少なくともそれを加熱している時間の間、特にその長手方向周囲に回転することは有益である。
【００３９】
さらなる利点および実施形態は添付の図面から明らかになる。
【図面の簡単な説明】
【００４０】
【図１】図１は容器の製造のための構成の概略図である。
【図２】図２はプラスチック材料プレフォームを加熱するための加熱デバイスの詳細図である。
【図３】図３はプラスチック材料プレフォームを加熱するための装置の例示である。
【図４】図４はプラスチック材料プレフォームを加熱キャビティ内に導入するための移動デバイスの例示である。
【図５】図５は図４に示した例の詳細な例示である。
【図６】図６はプラスチック材料プレフォームを加熱するための本発明に係る装置のさらなる例示である。
【図７】図７はプラスチック材料プレフォームを加熱するための装置の本発明に係るさらなる設計である。
【図８】図８は洗浄方法を説明する例示である。
【図９】図９は洗浄方法を説明するさらなる例示である。
【図１０】図１０は洗浄方法を説明するさらなる例示である。
【発明を実施するための形態】
【００４１】
図１は容器を処理するためのプラント５０の概略図である。この場合、プラスチック材料プレフォーム１０（１つのみを示す）が、供給デバイス５２により、全体を１と指定した加熱装置に供給される。この加熱装置は、この場合、方向軸Ｄの周囲で回転可能であるキャリア２を有し、そのキャリア２上に複数の加熱デバイスまたはステーション２０がそれぞれ配置される。プラスチック材料プレフォームが加熱された後、それらのプラスチック材料プレフォームをプラスチック材料容器に成形するために、それらは、移動スターホイール５４により、全体を５５と指定した成形デバイスに移動される。この成形デバイスはまた、回転可能なキャリア５８およびそのキャリア５８に配置される複数の成形ステーション５６を有する。この場合、成形デバイス５５は、有益には、ブロー成形機、特に延伸ブロー成形機である。
【００４２】
加熱装置１および成形デバイス５５の両方は、この場合、概略的にのみ示すクリーンルーム６に配置される。このことは、プラスチック材料プレフォームが、それらの加熱の間、このクリーンルーム６内に既に運搬されていることを意味する。さらに、プラントが例えば加熱デバイス２０またはさらにプラスチック材料プレフォーム１０自体を滅菌する滅菌デバイスを有することも可能である。供給デバイス５２は同様にこの場合、クリーンルームに少なくとも部分的に配置され得る。
【００４３】
図２は加熱デバイス２０の部分的な例示である。この加熱デバイスは、全体を３０と指定した加熱キャビティを有し、その加熱キャビティは中空空間３１を形成し、その中空空間３１内にプラスチック材料プレフォーム１０が挿入される。このプラスチック材料プレフォーム１０は、この場合、本体１０ａおよびネジ領域１０ｂを有する。このネジ領域は加熱の間、加熱キャビティ３０に到達しない。実際に、ネジの加熱を防ぐ遮蔽デバイス３３が設けられてもよい。参照番号３４は加熱キャビティ３０における開口部を指定し、その開口部によって、プラスチック材料プレフォーム１０が加熱キャビティ３０に供給され得る。各々の遮蔽デバイス３３は、この場合、プレートの形態で設計されてもよく、後で開口部を有し、その開口部を通してプラスチック材料プレフォーム１０が移動できる。
【００４４】
参照番号８は、この場合、加熱の間に同様にプラスチック材料プレフォーム１０内に挿入される棒状体を指定する。この棒状体８はまた、内側からプラスチック材料プレフォーム１０を加熱する。このように、プラスチック材料プレフォーム１０の均一な加熱が可能となる。参照文字Ｌは、この場合、棒状体の長手方向および移動方向と一致するプラスチック材料プレフォームの長手方向を指定する。
【００４５】
この場合また、参照番号６は再度クリーンルームを指定し、そのクリーンルーム内でプラスチック材料プレフォームが加熱される。加熱キャビティ３０はここで同様に閉じられるので、中空空間３１もまた、クリーンルーム６の一部を形成する。
【００４６】
図３は本発明に係る装置のさらなる例を示す。この場合、加熱キャビティ３０およびその加熱キャビティ３０に隣接するクリーンルーム６が再度明らかになる。このクリーンルーム６は有益には、ここで、環状を形成し、第１の壁６２および第２の壁６４を有する。この第２の壁６４は、この場合、それぞれ移動可能または回転可能なように配置され、壁６２は固定されるように配置される。参照番号６６は壁の間の移動を止める封止デバイスを指す。これらの封止デバイス６６は、この場合、上記のように、各場合、いわゆるサージタンクの形態で設計されてもよく、その場合、壁６４の一部は壁６２により形成されるチャネル内で係合する。この場合、細菌の侵入を防ぐために、過圧が好ましくは無菌室６に広がる。さらに、ライン９６により無菌室６を供給するためにブロワ９２が設けられる。参照番号９４は、例えばＨＥＰＡフィルタなどのフィルタデバイスを指定する。
【００４７】
参照番号２４は、加熱キャビティ３０内にプラスチック材料プレフォームを移動させるため（同様に加熱キャビティ外へそれらを移動させるため）に使用されるリニアモータ２５の固定子を指定する。関連する可動部または固定部、すなわちスライダは、ここで参照番号２６で指定される。このスライダ２６は、この場合、中空シャフトの形態で設計され、棒状体８もまた、この中空シャフトを介してプラスチック材料プレフォーム内に導入され得る。
【００４８】
参照番号２２は、プラスチック材料プレフォーム１０を保持するための保持デバイスを指定する。この保持デバイスは好ましくは、この場合、プラスチック材料プレフォームの開口部内で係合する保持マンドレルの形態で設計され、それらのプラスチック材料プレフォームを内側から保持する。しかしながら、保持デバイスはまた、外側からプラスチック材料プレフォームを把持することも可能である。しかしながらまた、プラスチック材料プレフォーム内に挿入できる棒状体８を保持デバイス上に直接配置することも可能である。このように、保持デバイスは、プラスチック材料プレフォーム内に挿入できる部分およびプラスチック材料プレフォームを保持する部分を有する細長いマンドレルの形態で設計されてもよい。
【００４９】
参照番号９０は第２の電動機を指定し、参照番号９１はその固定子を指定する。参照番号８８はこの第２の第２の電動機９０のスライダを指定する。この場合、このスライダ８８は方向Ｐ２において同様にキャリア棒８５を移動させる。参照番号８６は、方向Ｐ２において環境Ｕから離れるキャリア８５のこの移動を止める折り畳みベローズを指定する。リニアモータの代わりに、他の種類のドライブ、例えば空圧ドライブ（駆動）もしくは油圧式ドライブ（駆動）またはさらに他の電動機を使用することも可能である。参照番号８２は、長手方向軸、すなわち長手方向Ｌ周囲にプラスチック材料プレフォームの回転運動を生じる、ドライブ、特に電動機を指定する。このドライブ８２は、この場合、キャリア７６に配置される歯車８７を駆動する出力ギア８４を有してもよい。プラスチック材料プレフォーム１０を保持するための保持デバイス２２が次いでこのキャリア７６に配置され、それにより一緒に回転する。
【００５０】
このように、本明細書で示した設計の場合、上記の二重加熱法が提示され、その方法において、加熱は、加熱ランスによって内側から、および加熱キャビティまたは加熱ブッシュによって外側から同時に実施される。この加熱システムは回転スライダに配置されることが好ましく、その場合、プラスチック材料プレフォームは回転スライダに供給され、保持するための保持デバイス２２に移され、次いで加熱キャビティ内に浸される。棒状体８はまた、プラスチック材料プレフォーム１０内に平行に挿入される。ここで、プラスチック材料プレフォーム１０は、特定の加熱時間の間、このシステム内にとどまり、好ましくはこの場合、プラスチック材料プレフォーム周囲の均一の加熱を確保するために、連続回転で設定される。加熱プロセスの後、プラスチック材料プレフォームは、加熱キャビティ３０から再び引き出され、成形デバイス５５に移される。
【００５１】
図４は、この動作方法、特にこれに提供される往復運動を示す。この場合また、プラスチック材料プレフォームを保持するための保持デバイス２２が再び設けられる。その保持デバイス２２は、矢印Ｐ３により示されるように、プラスチック材料プレフォーム１０と共に回転可能である、キャリア２６上に配置される。参照１０ａはプラスチック材料プレフォーム１０の本体を指定し、参照１０ｂは、保持デバイス２２が挿入される開口領域を指定する。
【００５２】
キャリア２６は、中空であり、垂直に移動可能であり、この場合、同時に取り付けデバイスとして作用する荷重ヘッド（ｌｏａｄｉｎｇ  ｈｅａｄ）４２に配置されることが見られる。参照番号２５は、この荷重ヘッドまたはキャリア４２を移動させるために設けられる第１の移動デバイスを指定する。この移動デバイスは、この場合、リニアモータの形態で設計され、固定子２４を有し、その固定子２４上で、スライダ２７が、矢印Ｐ１の方向、すなわちこの場合、上方および下方に移動できる。
【００５３】
プラスチック材料プレフォームの回転運動は、この場合、出力ギア８４を駆動し、次いでキャリア２６上に配置される歯車８７を駆動するドライブ８２により実施される。このように、この設計の場合もまた、回転運動を実施するためのドライブ８２はクリーンルーム６の外側に配置される。クリーンルーム６は、この場合、封止デバイス８６によって囲まれるルーム６ｃ内のキャリア２６の中空空間６ｂによって下方領域６ａから延在する。封止デバイス８６は、この場合、折り畳みベローズの形態で設計される。このように、クリーンルーム６は、この場合、互いに接続される領域６ａ、６ｂおよび６ｃから形成される。
【００５４】
さらに、棒状体８（実際には図４に示すものより長い）は、方向Ｐ２に沿って、すなわち上方および下方に移動可能である。全体を９０と指定した移動デバイスもまた、この目的のために設けられる。この移動デバイス９０は同様にこの場合、リニアモータの形態で設計され、一方にキャリア２４（固定子の形態）を再び有し、他方に方向Ｐ２に移動するスライダ９１を有する。参照番号９３は、棒状体８が配置されるキャリアを指定する。
【００５５】
図５は図４に示した装置の拡大図である。この場合、ドライブ８２はキャリア４２または荷重ヘッドにそれぞれ配置されることが見られる。さらに、さらなる封止デバイスまたはさらなる折り畳みベローズ２９がそれぞれ設けられ、下方に配置されたクリーンルームの部分６から離れた方向Ｐ１におけるキャリア４２または荷重ヘッドそれぞれの相対運動を止める。キャリア２６を取り付けるための取り付けデバイス４２は好ましくは、この場合、無菌取り付けの形態で設計される。この折り畳みベローズは、このようにクリーンルームの領域６ａと６ｂ（図４を参照）との間の遷移を封止するために、例えば一方でキャリアまたは取り付けデバイス４２に、他方でクリーンルーム６の壁に配置されてもよい。
【００５６】
図６は本発明に係る装置のさらなる設計を示す。この場合、互いに対して移動可能である壁６２および６４が再び設けられ、同様にまた、サージタンクの形態で設計される封止デバイス６６が設けられる。プラスチック材料プレフォーム１０が配置される保持デバイス２２の移動を止めるために、折り畳みベローズ８６もまた、ここで再び設けられる。参照番号３０はこの場合再び、全体として加熱キャビティを指し、プラスチック材料プレフォームを加熱するための受け取りルーム３１が、この場合、クリーンルーム６に直接接続される。参照番号３５は再び加熱デバイスを指す。しかしながら、この設計に関する問題はプラスチック材料プレフォームの回転であり、その回転は折り畳みベローズ８６により許容されない。
【００５７】
図７は、プラスチック材料プレフォーム１０の相対的回転も許容される実施形態を示す。この場合また、プラスチック材料プレフォーム１０が浸される受け取りルーム３１が設けられる。しかしながら、封止デバイス８６は折り畳みベローズの形態で設けられないが、プラスチック材料プレフォームの長手方向軸Ｌの周囲、それによりまた、その回転軸の周囲に延びるサージタンクの形態で設けられる。このサージタンクは、この場合、上記のように、円形であり、連続的な受け取りチャネル８９、およびこのチャネル８９内の液体Ｆ内に浸漬するブレード８３を有する。次いで参照番号９１は、矢印Ｐ２の方向における移動、すなわち往復運動を実施するスライダを指定する。次いで参照番号８２はプラスチック材料プレフォーム１０の回転運動を実施するためのドライブを指定する。封止デバイスまたはサージタンク８６のそれぞれの比較的高い高さのために、この場合、クリーンルーム６を維持しながら、比較的大きな往復運動を実施することも可能である。
【００５８】
この場合、上記のように、プラスチック材料プレフォームを加熱するためのこの種の装置は、図７に示すように複数の加熱ステーションを有してもよい。この場合特に、これらの加熱ステーションの各々はまた、各々の場合、サージタンクの形態の封止デバイス８６を有してもよい。これらのサージタンクは、この場合、互いに中心分布により供給されてもよく、これらの個々の封止デバイスまたはサージタンク８６はまた、各々の場合、オーバーフロー接続によって同じ充填レベルを有するように設けられてもよい。
【００５９】
さらに、チャネル８９の内側の液体Ｆの水レベルを制御するセンサデバイスが設けられてもよい。
【００６０】
クリーンルームの境界を形成する、本明細書に記載した全ての封止デバイスまたはシールはまた、ゴム製のシールであってもよい。
【００６１】
図８は洗浄状態における本発明に係る装置の例を示す。この場合また、プラスチック材料プレフォーム１０が配置される個々の保持デバイス２２が再び設けられる。ここで、加熱素子３５が、この場合、スクリーン９２に配置される。上記のように、加熱デバイス３０は、ＳＴＩＲ加熱デバイスであってもよいが、また、例えばマイクロ波加熱デバイスであってもよい。
【００６２】
参照番号７０は、この場合、滅菌または洗浄デバイスを指定し、この機能はまた、この場合、保持デバイス２２により実施される。この目的のために、保持デバイス２２は、この場合、チャネル７２を有し、そのチャネル７２によって洗浄剤が供給され得る。図８に示した実施形態の場合、個々の加熱デバイスは、ハウジング９２によってクリーンルーム６から遮蔽され、このように、加熱デバイス３５はクリーンルームの外側に配置される。
【００６３】
滅菌デバイス７０によって、加熱キャビティ３０の内壁は、その周囲を連続的に流れる洗浄剤、例えばＣＩＰ媒体を有することができる。さらに、プラスチック材料プレフォーム自体はチャネル７２によって殺菌されることができる。
【００６４】
図９は本発明に係る装置のさらなる例である。この場合また、滅菌デバイスが再び設けられるが、図８に示した設計と対照的にそれらはクリーンルーム６を規定する壁に収容される。同様にこの設計において、加熱デバイス３５が、ハウジング９２内（好ましくは各場合、閉鎖される）のクリーンルームの外側に配置される。
【００６５】
参照番号７５は除去ラインを指定し、その除去ライン７５によって滅菌剤はプラントから除去され得る。この場合、この滅菌剤を除去するために使用されるポンプが設けられてもよい。参照７０ａは、滅菌剤をクリーンルーム６の内側にある領域に付与する加圧デバイスまたはノズルを指定する。
【００６６】
図１０に示した実施形態の場合、ハウジング９２は傾斜面７８を有して設計され、それにより、これらの傾斜面に到達する滅菌剤はより容易に下方に流れることができる。
【００６７】
本出願人は、従来技術に対して新規性がある限り、個々または組み合わせのいずれかで本発明に本質的である本出願明細書に開示した特徴の全てを請求する権利を有する。
【符号の説明】
【００６８】
１  加熱装置
２  キャリア／運搬デバイス
４  加熱デバイス
６  クリーンルーム／無菌室
６ａ、６ｂ、６ｃ  クリーンルーム６の領域
６ｂ  中空空間
６ｃ  ルーム
８  棒状体
１０  プラスチック材料プレフォーム
１０ａ  本体
１０ｂ  ネジ領域
２０  加熱デバイス／クリーンルーム
２２  保持デバイス
２４  固定子
２５  リニアモータ
２６  スライダ／キャリア
２７  スライダ
２９  封止デバイス
３０  加熱キャビティ
３１  受け取りルーム
３３  遮蔽デバイス
３４  加熱キャビティの開口部／構成要素部
３５  加熱素子
４２  荷重ヘッド／キャリア／取り付けデバイス
４４  壁
４６  壁
４８  壁
５０  プラント
５２  供給デバイス
５４  供給スターホイール
５５  成形デバイス
５６  成形ステーション
５８  回転可能なキャリア
６２  第１の壁
６４  第２の壁
６６  封止デバイス
７０  滅菌／洗浄デバイス
７０ａ  加圧デバイス、ノズル
７２  チャネル／回転ドライブ
７５  除去ライン
７６  キャリア
８２  ドライブ／回転ドライブ
８３  ブレード
８４  出力ギア
８５  キャリア棒
８６  密封デバイス／サージタンク／封止デバイス
８７  歯車
８８  スライダ
８９  受け取りチャネル
９０  第２の電動機／ドライブデバイス
９１  第２の電動機のスライダ
９２  ブロワ／ハウジング
９３  キャリア
９４  フィルタデバイス
９６  ライン
Ｄ  回転軸
Ｆ  液体
Ｌ  長手方向
Ｐ１、Ｐ２、Ｐ３  移動方向
Ｕ  環境
【図１】
2014061701.tif 000003
【図２】
2014061701.tif 000004
【図３】
2014061701.tif 000005
【図４】
2014061701.tif 000006
【図５】
2014061701.tif 000007
【図６】
2014061701.tif 000008
【図７】
2014061701.tif 000009
【図８】
2014061701.tif 000010
【図９】
2014061701.tif 000011
【図１０】
2014061701.tif 000012
【外国語明細書】
2014061701000001.pdf
2014061701000002.pdf
2014061701000003.pdf
2014061701000004.pdf